(57)【要約】【課題】各インテリジェントホームの利用率を向上させる。【解決手段】本発明の実施例は、インテリジェントホームコントロール方法、装置、機器、システム及び記憶媒体を提供し、該方法は、端末アタッチメントから送信された第１の情報を受信するステップと、クラウドサーバが第１の情報に基づいてコントロールコマンドを生成するように、第１の情報をクラウドサーバに送信するステップと、クラウドサーバから送信されたコントロールコマンドを受信し、かつコントロールコマンドに基づいてインテリジェントホームをコントロールするステップとを含む。それによって各インテリジェントホームの利用率を向上させる。【選択図】図１Ａ
2019193253.tif 000002
【特許請求の範囲】
【請求項１】
インテリジェントホームコントロール方法であって、
端末アタッチメントから送信された第１の情報を受信するステップと、
前記クラウドサーバが前記第１の情報に基づいてコントロールコマンドを生成するように、前記第１の情報をクラウドサーバに送信するステップと、
前記クラウドサーバから送信されたコントロールコマンドを受信し、前記コントロールコマンドに基づいて前記インテリジェントホームをコントロールするステップと
を含むことを特徴とするインテリジェントホームコントロール方法。
【請求項２】
前記第１の情報は音声情報及び／又は画像情報であり、
前記画像情報は前記端末アタッチメントによって撮影された手振り画像の情報及び／又は顔画像の情報であることを特徴とする請求項１に記載の方法。
【請求項３】
前記コントロールコマンドに基づいて前記インテリジェントホームをコントロールする前記ステップは、
前記端末アタッチメントが前記コントロールコマンドに基づいて前記インテリジェントホームをコントロールするように、前記コントロールコマンドを前記端末アタッチメントに送信することを含むことを特徴とする請求項１又は２に記載の方法。
【請求項４】
前記端末アタッチメントのブルートゥース（登録商標）情報を読み取り、前記端末アタッチメントのブルートゥース（登録商標）情報に基づいて前記端末アタッチメントと接続するステップをさらに含むことを特徴とする請求項１又は２に記載の方法。
【請求項５】
前記端末アタッチメントから送信された第２の情報を受信するステップと、
前記クラウドサーバが前記第２の情報に基づいて前記インテリジェントホームに関する表示すべき情報を生成するように、前記第２の情報を前記クラウドサーバに送信するステップと、
前記表示すべき情報を受信し、前記表示すべき情報を表示するステップと
をさらに含むことを特徴とする請求項１又は２に記載の方法。
【請求項６】
前記端末アタッチメントから送信された第３の情報を受信するステップと、
前記クラウドサーバが前記第３の情報に基づいて前記インテリジェントホームに関する放送すべき情報を生成するように、前記第３の情報を前記クラウドサーバに送信するステップと、
前記放送すべき情報を受信し、前記端末アタッチメントが前記放送すべき情報を放送するように、前記放送すべき情報を前記端末アタッチメントに送信するステップと
をさらに含むことを特徴とする請求項１又は２に記載の方法。
【請求項７】
インテリジェントホームコントロール方法であって、
第１の情報を取得するステップと、
インテリジェントホームをコントロールするためのコントロールコマンドを生成するための前記第１の情報を端末に送信するステップと
を含むことを特徴とするインテリジェントホームコントロール方法。
【請求項８】
前記第１の情報は音声情報及び／又は画像情報であり、
前記画像情報は前記端末アタッチメントによって撮影された手振り画像の情報及び／又は顔画像の情報であることを特徴とする請求項７に記載の方法。
【請求項９】
前記端末から送信された前記コントロールコマンドを受信するステップと、
前記コントロールコマンドに基づいて前記インテリジェントホームをコントロールするステップと
をさらに含むことを特徴とする請求項７又は８に記載の方法。
【請求項１０】
前記コントロールコマンドに基づいて前記インテリジェントホームをコントロールする前記ステップは、
前記インテリジェントホームが赤外線によってリモートコントロール可能なインテリジェントホームである場合、前記コントロールコマンドに基づいて前記端末アタッチメントの赤外線機能により前記インテリジェントホームをコントロールすること
を含むことを特徴とする請求項９に記載の方法。
【請求項１１】
前記端末のブルートゥース（登録商標）情報を読み取り、かつ前記端末のブルートゥース（登録商標）情報に基づいて前記端末と接続するステップをさらに含むことを特徴とする請求項７又は８に記載の方法。
【請求項１２】
第２の情報を取得するステップと、
前記インテリジェントホームに関する表示すべき情報を生成するための前記第２の情報を前記端末に送信するステップと
をさらに含むことを特徴とする請求項７又は８に記載の方法。
【請求項１３】
第３の情報を取得するステップと、
前記インテリジェントホームに関する放送すべき情報を生成するための前記第３の情報を前記端末に送信するステップと、
前記端末から送信された前記放送すべき情報を受信し、前記放送すべき情報を放送するステップと
をさらに含むことを特徴とする請求項７又は８に記載の方法。
【請求項１４】
インテリジェントホームコントロール装置であって、
端末アタッチメントから送信された第１の情報を受信し、またクラウドサーバから送信されたコントロールコマンドを受信するための受信モジュールと、
前記クラウドサーバが前記第１の情報に基づいてコントロールコマンドを生成するように、前記第１の情報をクラウドサーバに送信するための送信モジュールと、
前記コントロールコマンドに基づいて前記インテリジェントホームをコントロールするためのコントロールモジュールと
を含むことを特徴とするインテリジェントホームコントロール装置。
【請求項１５】
前記コントロールモジュールは、具体的には、前記端末アタッチメントが前記コントロールコマンドに基づいて前記インテリジェントホームをコントロールするように、前記コントロールコマンドを前記端末アタッチメントに送信するのに用いられる、ことを特徴とする請求項１４に記載の装置。
【請求項１６】
前記端末アタッチメントのブルートゥース（登録商標）情報を読み取るための読み取りモジュールと、
前記端末アタッチメントのブルートゥース（登録商標）情報に基づいて前記端末アタッチメントと接続するための接続モジュールと
をさらに含むことを特徴とする請求項１４又は１５に記載の装置。
【請求項１７】
表示モジュールをさらに含み、
前記受信モジュールはさらに、前記端末アタッチメントから送信された第２の情報を受信し、
前記送信モジュールはさらに、前記クラウドサーバが前記第２の情報に基づいて前記インテリジェントホームに関する表示すべき情報を生成するように、前記第２の情報を前記クラウドサーバに送信し、
前記受信モジュールはさらに、前記表示すべき情報を受信し、
前記表示モジュールは、前記表示すべき情報を表示する
ことを特徴とする請求項１４又は１５に記載の装置。
【請求項１８】
前記受信モジュールはさらに、前記端末アタッチメントから送信された第３の情報を受信し、
前記送信モジュールはさらに、前記クラウドサーバが前記第３の情報に基づいて前記インテリジェントホームに関する放送すべき情報を生成するように、前記第３の情報を前記クラウドサーバに送信し、
前記受信モジュールはさらに、前記放送すべき情報を受信し、前記端末アタッチメントが前記放送すべき情報を放送するように、前記放送すべき情報を前記端末アタッチメントに送信する
ことを特徴とする請求項１４又は１５に記載の装置。
【発明の詳細な説明】
【技術分野】
【０００１】
本発明の実施例は、インテリジェントホーム技術分野に関し、特にインテリジェントホームコントロール方法、装置、機器、システム及び記憶媒体に関する。
【背景技術】
【０００２】
インテリジェントホームは、「インターネット＋」の産物であり、人々の生活の重要な構成部分になっている。
【０００３】
現在、インテリジェントホームは、人工知能（Ａｒｔｉｆｉｃｉａｌ  Ｉｎｔｅｌｌｉｇｅｎｃｅ、ＡＩ）インテリジェントホーム及び非ＡＩインテリジェントホームを含む。そのうち、ＡＩインテリジェントホームとしては、例えば顔識別や手振り識別の機能を持つインテリジェント冷蔵庫、インテリジェントエアコン、音声機能を持つインテリジェントスピーカー等が挙げられ、非ＡＩインテリジェントホームとしては、例えばリモコンで制御されるテレビが挙げられる。要するに、各インテリジェントホームのインテリジェント程度はまちまちであり、インテリジェントホームの増加に伴い、人々が通常インテリジェントホームのインテリジェント化を無視しているので、多くのインテリジェントホームのインテリジェント機能が放置されている。
【０００４】
このため、従来の技術にインテリジェントホームの利用率が低いという問題が存在しており、これは、本発明の実施例によって早急に解決されるべき問題となっている。
【発明の概要】
【発明が解決しようとする課題】
【０００５】
本発明の実施例は、インテリジェントホームコントロール方法、装置、機器、システム及び記憶媒体を提供する。ただし、端末が端末アタッチメント、端末、クラウドサーバ及びインテリジェントホームを含むインテリジェントホームコントロールシステムの中枢とすることができ、各インテリジェントホームに対する統合的なコントロールを実現することができ、それによって各インテリジェントホームの利用率を向上させる。
【課題を解決するための手段】
【０００６】
第１の態様では、本発明の実施例は、端末アタッチメントから送信された第１の情報を受信するステップと、クラウドサーバが第１の情報に基づいてコントロールコマンドを生成するように、第１の情報をクラウドサーバに送信するステップと、クラウドサーバから送信されたコントロールコマンドを受信し、かつコントロールコマンドに基づいてインテリジェントホームをコントロールするステップとを含むインテリジェントホームコントロール方法を提供する。
【０００７】
本発明の実施例の有益な効果は、本発明の実施例において、端末が端末アタッチメント、端末、クラウドサーバ及びインテリジェントホームを含むインテリジェントホームコントロールシステムの中枢とすることができ、各インテリジェントホームに対する統合的なコントロールを実現することができ、それによって各インテリジェントホームの利用率を向上させることである。
【０００８】
場合によっては、第１の情報は音声情報及び／又は画像情報であり、画像情報は端末アタッチメントによって撮影された手振り画像の情報及び／又は顔画像の情報である。
【０００９】
場合によっては、コントロールコマンドに基づいてインテリジェントホームをコントロールするステップは、端末アタッチメントがコントロールコマンドに基づいてインテリジェントホームをコントロールするように、コントロールコマンドを端末アタッチメントに送信することを含む。或いは、コントロールコマンドに基づいてインテリジェントホームをコントロールするステップは、インテリジェントホームをオン・オフにすることを含む。
【００１０】
即ち本発明の実施例において、端末は直接又は間接インテリジェントホームをコントロールすることができ、それによって端末コントロールの柔軟性を向上させる。
【００１１】
場合によっては、端末アタッチメントは端末に有線で接続されるか、又は無線で接続される。
【００１２】
場合によっては、無線接続はブルートゥース（登録商標）接続である。
【００１３】
場合によっては、方法は、端末アタッチメントのブルートゥース（登録商標）情報を読み取り、かつ端末アタッチメントのブルートゥース（登録商標）情報に基づいて端末アタッチメントと接続するステップをさらに含む。それによって端末と端末アタッチメントとの間の自動的な接続を実現し、さらに接続効率を向上させる。
【００１４】
場合によっては、方法は、端末アタッチメントから送信された第２の情報を受信するステップと、クラウドサーバが第２の情報に基づいてインテリジェントホームに関する表示すべき情報を生成するように、第２の情報をクラウドサーバに送信するステップと、表示すべき情報を受信し、かつ表示すべき情報を表示するステップとをさらに含む。それによって各インテリジェントホームの利用率を向上させる。
【００１５】
場合によっては、方法は、端末アタッチメントから送信された第３の情報を受信するステップと、クラウドサーバが第３の情報に基づいてインテリジェントホームに関する放送すべき情報を生成するように、第３の情報をクラウドサーバに送信するステップと、放送すべき情報を受信し、かつ端末アタッチメントが放送すべき情報を放送するように、放送すべき情報を端末アタッチメントに送信するステップとをさらに含む。それによって各インテリジェントホームの利用率を向上させる。
【００１６】
次に端末アタッチメント側からインテリジェントホームコントロール方法を紹介し、その効果及び参照端末側に対応する効果について説明するが、重複する説明は省略する。
【００１７】
第２の態様では、本発明の実施例は、端末アタッチメントが第１の情報を取得するステップと、インテリジェントホームをコントロールするためのコントロールコマンドを生成するための第１の情報を、端末アタッチメントが端末に送信するステップとを含むインテリジェントホームコントロール方法を提供する。
【００１８】
場合によっては、第１の情報は音声情報及び／又は画像情報であり、画像情報は端末アタッチメントによって撮影された手振り画像の情報及び／又は顔画像の情報である。
【００１９】
場合によっては、方法は、端末アタッチメントが端末から送信されたコントロールコマンドを受信するステップと、端末アタッチメントがコントロールコマンドに基づいてインテリジェントホームをコントロールするステップとをさらに含む。
【００２０】
場合によっては、端末アタッチメントがコントロールコマンドに基づいてインテリジェントホームをコントロールするステップは、インテリジェントホームが赤外線によってリモートコントロール可能なインテリジェントホームであれば、コントロールコマンドに基づいて端末アタッチメントの赤外線機能によりインテリジェントホームをコントロールすることを含む。
【００２１】
場合によっては、端末アタッチメントは端末に有線で接続されるか、又は無線で接続される。
【００２２】
場合によっては、無線接続はブルートゥース（登録商標）接続である。
【００２３】
場合によっては、方法は、端末アタッチメントが端末のブルートゥース（登録商標）情報を読み取り、かつ端末のブルートゥース（登録商標）情報に基づいて端末と接続するステップをさらに含む。
【００２４】
場合によっては、方法は、端末アタッチメントが第２の情報を取得するステップと、インテリジェントホームに関する表示すべき情報を生成するための第２の情報を、端末アタッチメントが端末に送信するステップとをさらに含む。
【００２５】
場合によっては、方法は、端末アタッチメントが第３の情報を取得するステップと、インテリジェントホームに関する放送すべき情報を生成するための第３の情報を、端末アタッチメントが端末に送信するステップと、端末アタッチメントが端末から送信された放送すべき情報を受信し、かつ放送すべき情報を放送するステップとをさらに含む。
【００２６】
次に端末側から方法に対応する装置実施例を紹介し、その効果及び参照端末側に対応する効果について説明するが、重複する説明は省略する。
【００２７】
第３の態様では、本発明の実施例は、端末アタッチメントから送信された第１の情報を受信し、またクラウドサーバから送信されたコントロールコマンドを受信するための受信モジュールと、クラウドサーバが第１の情報に基づいてコントロールコマンドを生成するように、第１の情報をクラウドサーバに送信するための送信モジュールと、コントロールコマンドに基づいてインテリジェントホームをコントロールするためのコントロールモジュールとを含むインテリジェントホームコントロール装置を提供する。
【００２８】
次に端末アタッチメント側から方法に対応する装置実施例を紹介し、その効果及び参照端末側に対応する効果について説明するが、重複する説明は省略する。
【００２９】
第４の態様では、本発明の実施例は、第１の情報を取得するための取得モジュールと、インテリジェントホームをコントロールするためのコントロールコマンドを生成するための第１の情報を端末に送信するための送信モジュールとを含むインテリジェントホームコントロール装置を提供する。
【００３０】
次に端末側から方法に対応する機器実施例を紹介し、その効果及び参照端末側に対応する効果について説明するが、重複する説明は省略する。
【００３１】
第５の態様では、本発明の実施例は、コンピュータコマンドを記憶するためのメモリと、メモリに記憶されたコンピュータコマンドを実行して第１の態様又は第１の態様の選択可能な形態のインテリジェントホームコントロール方法を実現するためのプロセッサとを含むインテリジェントホームコントロール機器を提供する。
【００３２】
次に端末アタッチメント側から方法に対応する機器実施例を紹介し、その効果及び参照端末側に対応する効果について説明するが、重複する説明は省略する。
【００３３】
第６の態様では、本発明の実施例は、コンピュータコマンドを記憶するためのメモリと、メモリに記憶されたコンピュータコマンドを実行して第２の態様又は第２の態様の選択可能な形態のインテリジェントホームコントロール方法を実現するためのプロセッサとを含むインテリジェントホームコントロール機器を提供する。
【００３４】
第７の態様では、本発明の実施例は、読み取り可能記憶媒体と、読み取り可能記憶媒体に記憶され、第１の態様又は第１の態様の選択可能な形態のインテリジェントホームコントロール方法を実現するためのコンピュータコマンドとを含む記憶媒体を提供する。
【００３５】
第８の態様では、本発明の実施例は、読み取り可能記憶媒体と、読み取り可能記憶媒体に記憶され、第２の態様又は第２の態様の選択可能な形態のインテリジェントホームコントロール方法を実現するためのコンピュータコマンドとを含む記憶媒体を提供する。
【００３６】
第９の態様では、本発明の実施例は、プログラム製品を提供し、コンピュータコマンドが第１の態様又は第１の態様の選択可能な形態のインテリジェントホームコントロール方法を実現するために用いられる。
【００３７】
第１０の態様では、本発明の実施例は、プログラム製品を提供し、コンピュータコマンドが第２の態様又は第２の態様の選択可能な形態のインテリジェントホームコントロール方法を実現するために用いられる。
【００３８】
第１１の態様では、本発明の実施例は、第５の態様に記載のインテリジェントホームコントロール機器、及び第６の態様に記載のインテリジェントホームコントロール機器を含むインテリジェントホームコントロールシステムを提供する。
【発明の効果】
【００３９】
本発明の実施例は、インテリジェントホームコントロール方法、装置、機器、システム及び記憶媒体を提供し、該方法は、端末アタッチメントから送信された第１の情報を受信するステップと、クラウドサーバが第１の情報に基づいてコントロールコマンドを生成するように、第１の情報をクラウドサーバに送信するステップと、クラウドサーバから送信されたコントロールコマンドを受信し、かつコントロールコマンドに基づいてインテリジェントホームをコントロールするステップとを含む。端末が端末アタッチメント、端末、クラウドサーバ及びインテリジェントホームを含むインテリジェントホームコントロールシステムの中枢とすることができ、各インテリジェントホームに対する統合的なコントロールを実現することができ、それによって各インテリジェントホームの利用率を向上させる。
【図面の簡単な説明】
【００４０】
本発明の実施例又は従来技術における技術案をより明確に説明するために、以下、実施例又は従来技術の説明に用いる図面を簡単に説明し、当然ながら、後述する図面は本発明のいくつかの実施例に過ぎず、当業者であれば、創造的な労力を行わなくても、これらの図面に基づき他の図面を得ることができる。
【図１Ａ】本発明の実施例によるインテリジェントホームコントロール方法のインタラクションフローチャートである。
【図１Ｂ】本発明の別の実施例によるインテリジェントホームコントロール方法のインタラクションフローチャートである。
【図２】本発明の別の実施例によるインテリジェントホームコントロール方法のインタラクションフローチャートである。
【図３】本発明のさらに別の実施例によるインテリジェントホームコントロール方法のインタラクションフローチャートである。
【図４】本発明の実施例によるインテリジェントホームコントロール装置４０の説明図である。
【図５】本発明の実施例によるインテリジェントホームコントロール装置５０の説明図である。
【図６】本発明の実施例によるインテリジェントホームコントロール機器６０の説明図である。
【図７】本発明の実施例によるインテリジェントホームコントロール機器７０の説明図である。
【図８】本発明の実施例によるインテリジェントホームコントロールシステム８０の説明図である。
【図９】本発明の実施例によるインテリジェントホームコントロールシステムに基づいたデータ伝送の説明図である。
【図１０】本発明の別の実施例によるインテリジェントホームコントロールシステムに基づいたデータ伝送の説明図である。
【発明を実施するための形態】
【００４１】
本発明の実施例の目的、技術案及び利点をより明確にするために、以下、本発明の実施例における図面を参照しながら、本発明の実施例における技術案を明確かつ完全に説明する。当然ながら、説明される実施例は、本発明のすべての実施例ではなく、その一部に過ぎない。本発明の実施例に基づき、当業者が創造的な労力を要さずに想到しうる他の実施例は、いずれも本発明の実施例の技術的範囲に属するものである。
【００４２】
現在、インテリジェントホームは、ＡＩインテリジェントホーム及び非ＡＩインテリジェントホームを含む。そのうち、ＡＩインテリジェントホームとしては、例えば顔識別や手振り識別の機能を持つインテリジェント冷蔵庫、インテリジェントエアコン、音声機能を持つインテリジェントスピーカー等が挙げられる。非ＡＩインテリジェントホームとしては、例えばリモコンで制御されるテレビ等が挙げられる。現在、各インテリジェントホームに対する統合的なコントロールはまだ実現できない。要するに、各インテリジェントホームのインテリジェント程度はまちまちであり、インテリジェントホームの増加に伴い、人々が通常インテリジェントホームのインテリジェント化を無視しているので、多くのインテリジェントホームのインテリジェント機能が放置されている。このため、従来の技術にインテリジェントホームの利用率が低いという問題が存在しており、これは、本発明の実施例によって早急に解決されるべき問題となっている。
【００４３】
上記技術的問題を解決するために、本発明の実施例は、インテリジェントホームコントロール方法、装置、機器、システム及び記憶媒体を提供する。具体的には、図１Ａは、本発明の実施例によるインテリジェントホームコントロール方法のインタラクションフローチャートであり、該方法に関する実行本体は、端末、端末アタッチメント及びクラウドサーバであり、該端末は、携帯電話、タブレット等でもよく、該端末アタッチメントは、ピックアップ機能及び撮影機能等を持ち、かつそのピックアップ機能及び撮影機能がいずれも端末のピックアップ機能及び撮影機能よりも優れ、例えば、該端末アタッチメントが遠距離ピックアップ機能を持つが、端末が一般的にやや遠距離の音声インタラクティブに適さない。また、該端末アタッチメントはさらに、赤外線コントロール機能を持つことができ、端末に対する充電等に用いることもできる。該端末アタッチメントは、端末ブラケットのように作ることができ、通常端末を該端末ブラケット上に置くことができ、端末に充電しながら、端末の「耳」及び「目」として端末のピックアップ機能及び撮影機能を拡張することを実現する。これに基づいて、該インテリジェントホームコントロール方法は、ステップＳ１０１〜ステップＳ１０６を含む。
【００４４】
ステップＳ１０１：端末アタッチメントが第１の情報を取得する。
【００４５】
ステップＳ１０２：端末アタッチメントが第１の情報を端末に送信する。
【００４６】
ステップＳ１０３：端末が第１の情報をクラウドサーバに送信する。
【００４７】
ステップＳ１０４：クラウドサーバが第１の情報に基づいてコントロールコマンドを生成する。
【００４８】
ステップＳ１０５：クラウドサーバが端末にコントロールコマンドを送信する。
【００４９】
ステップＳ１０６：端末がコントロールコマンドに基づいてインテリジェントホームをコントロールする。
【００５０】
具体的には、端末アタッチメントと端末との間は有線で接続されるか、又は無線で接続されることが可能である。有線接続を例にとると、端末アタッチメント及び端末はいずれもユニバーサル・シリアル・バス（Ｕｎｉｖｅｒｓａｌ  Ｓｅｒｉａｌ  Ｂｕｓ、ＵＳＢ）インタフェースを持ち、それらの間がＵＳＢケーブルを介して接続することができる。無線接続を例にとると、端末アタッチメントが端末ブラケットであると仮設し、端末が該端末アタッチメントに置かれるとき、端末の近距離通信（Ｎｅａｒ  Ｆｉｅｌｄ  Ｃｏｍｍｕｎｉｃａｔｉｏｎ、ＮＦＣ）モジュールは端末アタッチメントのＮＦＣによって配置されたブルートゥース（登録商標）情報を読み取ることができ、それによって端末アタッチメントとの自動的なマッチングを実現する。ただし、該ブルートゥース（登録商標）情報は端末アタッチメントのブルートゥース（登録商標）アカウントを含む。又は、端末が該端末アタッチメントに置かれるとき、端末アタッチメントのＮＦＣモジュールは端末のＮＦＣによって配置されたブルートゥース（登録商標）情報を読み取ることができ、それによって端末アタッチメントとの自動的なマッチングを実現する。ただし、該ブルートゥース（登録商標）情報は端末のブルートゥース（登録商標）アカウントを含む。
【００５１】
場合によっては、端末と端末アタッチメントが接続された後、端末アタッチメントは、無線充電機能、赤外線リモートコントロール機能、ピックアップ機能及び撮影機能等を起動することができる。
【００５２】
端末は、ワイファイ（ＷＩｒｅｌｅｓｓ−Ｆｉｄｅｌｉｔｙ、ＷｉＦｉ）、第二世代（２  Ｇｅｎｅｒａｔｉｏｎ、２Ｇ）モバイル通信システム、第三世代（３  Ｇｅｎｅｒａｔｉｏｎ、３Ｇモバイル通信システム）又は第四世代（４  Ｇｅｎｅｒａｔｉｏｎ、４Ｇ）モバイル通信システム等を通じてクラウドサーバと通信を実現することができる。
【００５３】
端末は、そのアプリケーション（Ａｐｐｌｉｃａｔｉｏｎ、ＡＰＰ）によってインテリジェントホーム、例えばインテリジェントエアコン、インテリジェント冷蔵庫等を直接コントロールすることができ、また端末アタッチメントによってインテリジェントホームを間接コントロールすることもでき、例えば、端末アタッチメントの赤外線コントロール機能によりインテリジェントホームをコントロールする。
【００５４】
さらに、第１の情報は、クラウドサーバがインテリジェントホームをコントロールするためのコントロールコマンドを生成するために用いられる。場合によっては、第１の情報はユーザーが端末アタッチメントに入力した音声情報及び／又は画像情報である。該画像情報は端末アタッチメントによって撮影された手振り画像の情報及び／又は顔画像の情報である。相応するように、ステップＳ１０１において、端末アタッチメントが第１の情報を取得することは、具体的には、端末アタッチメントがそのピックアップ機能によって音声情報を取得すること、及び／又は、端末アタッチメントがその撮影機能によって画像情報を取得することを含む。
【００５５】
上記のように、端末は、端末アタッチメントによってインテリジェントホームを間接コントロールすることができ、具体的には、図１Ｂは、本発明の別の実施例によるインテリジェントホームコントロール方法のインタラクションフローチャートであり、図１Ｂに示したように、上記ステップＳ１０６はステップＳ１０６ａとステップＳ１０６ｂによって実現することができる。
【００５６】
ステップＳ１０６ａ：端末がコントロールコマンドを端末アタッチメントに送信する。
【００５７】
ステップＳ１０６ｂ：端末アタッチメントがコントロールコマンドに基づいてインテリジェントホームをコントロールする。
【００５８】
以下、いくつかの例を通じて前記インテリジェントホームコントロール方法をさらに説明する。
【００５９】
実施可能な形態１：端末アタッチメントは例えば「テレビを点ける」という音声情報を取得し、端末アタッチメントは該音声情報を端末に伝送する。端末はＷｉＦｉ又は無線通信ネットワークを通じて音声情報をクラウドサーバに送信し、それによってクラウドサーバは該音声情報を解析し、コントロールコマンドを生成し、かつ該コントロールコマンドを端末に送信し、端末はコントロールコマンドを端末アタッチメントに送信し、端末アタッチメントはその赤外線機能によりテレビを点ける。
【００６０】
実施可能な形態２：端末アタッチメントはユーザーの手振りを撮影し、ユーザーの手振りに関する画像を生成し、かつ端末によって該画像をクラウドサーバに伝送し、クラウドサーバは該画像を分析して処理し、コントロールコマンドを生成し、該手振りが予め設定した画像であれば、該予め設定した画像に対応するコントロールコマンドがテレビを点けるために用いられる。クラウドサーバは該コントロールコマンドを端末に送信し、端末はコントロールコマンドを端末アタッチメントに送信し、端末アタッチメントはその赤外線機能によりテレビを点ける。
【００６１】
実施可能な形態３：端末アタッチメントは例えば「テレビを点ける」という音声情報を取得し、端末アタッチメントは該音声情報を端末に伝送する。該端末はＷｉＦｉ又は無線通信ネットワークを通じて音声情報をクラウドサーバに送信する。一方、端末アタッチメントはユーザーの手振りを撮影し、ユーザーの手振りに関する画像を生成し、かつ携帯電話によって該画像をクラウドサーバに伝送し、クラウドサーバは上記音声情報及び該画像を分析して処理し、コントロールコマンドを生成し、かつ該コントロールコマンドを端末に送信し、端末はコントロールコマンドを端末アタッチメントに送信し、端末アタッチメントはその赤外線機能によりテレビを点ける。
【００６２】
上記３つの実施形態はいずれも端末によってインテリジェント端末を間接コントロールすることを例にとり、即ち、端末はコントロールコマンドを端末アタッチメントに送信し、端末アタッチメントはコントロールコマンドに基づいてインテリジェントホームをコントロールする。実際に、端末はインテリジェントホームを直接コントロールすることもできる。
【００６３】
実施可能な形態４：端末アタッチメントは例えば「エアコンを点ける」という音声情報を取得し、端末アタッチメントは該音声情報を端末に伝送する。端末はＷｉＦｉ又は無線通信ネットワークを通じて音声情報をクラウドサーバに送信し、それによってクラウドサーバは該音声情報を解析し、コントロールコマンドを生成し、かつ該コントロールコマンドを端末に送信し、端末は該コントロールコマンドに基づいてそのＡＰＰを通じてエアコンを点ける。
【００６４】
実施可能な形態５：端末アタッチメントはユーザーの手振りを撮影し、ユーザーの手振りに関する画像を生成し、かつ端末によって該画像をクラウドサーバに伝送し、クラウドサーバは該画像を分析して処理し、コントロールコマンドを生成し、該手振りが予め設定した画像であれば、該予め設定した画像に対応するコントロールコマンドがエアコンを点けるために用いられる。クラウドサーバは該コントロールコマンドを端末に送信し、端末は該コントロールコマンドに基づいてそのＡＰＰを通じてエアコンを点ける。
【００６５】
実施可能な形態６：端末アタッチメントは例えば「エアコンを点ける」という音声情報を取得し、端末アタッチメントは該音声情報を端末に伝送する。該端末はＷｉＦｉ又は無線通信ネットワークを通じて音声情報をクラウドサーバに送信する。一方、端末アタッチメントはユーザーの手振りを撮影し、ユーザーの手振りに関する画像を生成し、かつ携帯電話によって該画像をクラウドサーバに伝送し、クラウドサーバは上記音声情報及び該画像を分析して処理し、コントロールコマンドを生成し、かつ該コントロールコマンドを端末に送信し、端末は該コントロールコマンドに基づいてそのＡＰＰを通じてエアコンを点ける。
【００６６】
以上をまとめると、本発明の実施例において、端末が端末アタッチメント、端末、クラウドサーバ及びインテリジェントホームを含むインテリジェントホームコントロールシステムの中枢とすることができ、各インテリジェントホームに対する統合的なコントロールを実現することができ、それによって各インテリジェントホームの利用率を向上させる。
【００６７】
図２は、本発明の別の実施例によるインテリジェントホームコントロール方法のインタラクションフローチャートであり、該方法に関する実行本体は、端末、端末アタッチメント及びクラウドサーバであり、該端末は、携帯電話、タブレット等でもよく、該端末アタッチメントは、ピックアップ機能及び撮影機能等を持ち、かつそのピックアップ機能及び撮影機能がいずれも端末のピックアップ機能及び撮影機能よりも優れ、例えば、該端末アタッチメントが遠距離ピックアップ機能を持つが、端末が一般的にやや遠距離の音声インタラクティブに適さない。また、該端末アタッチメントはさらに、赤外線コントロール機能を持つことができ、端末に対する充電等に用いることもできる。該端末アタッチメントは、端末ブラケットのように作ることができ、通常端末を該端末ブラケット上に置くことができ、端末に充電しながら、端末の「耳」及び「目」として端末のピックアップ機能及び撮影機能を拡張することを実現する。ただし、本実施例は前の実施例と別個独立するものであってもよく、組み合わせるものであってもよく、本発明の実施例はそれについて限定しない。図２に示したように、該インテリジェントホームコントロール方法は、ステップＳ２０１〜ステップＳ２０６を含む。
【００６８】
ステップＳ２０１：端末アタッチメントが第２の情報を取得する。
【００６９】
ステップＳ２０２：端末アタッチメントが第２の情報を前記端末に送信する。
【００７０】
ステップＳ２０３：端末が第２の情報をクラウドサーバに送信する。
【００７１】
ステップＳ２０４：クラウドサーバが第２の情報に基づいて前記インテリジェントホームに関する表示すべき情報を生成する。
【００７２】
ステップＳ２０５：クラウドサーバが端末に前記表示すべき情報を送信する。
【００７３】
ステップＳ２０６：端末が前記表示すべき情報を表示する。
【００７４】
具体的には、端末アタッチメントと端末との間は有線で接続されるか、又は無線で接続されることが可能である。有線接続を例にとると、端末アタッチメント及び端末はいずれもＵＳＢインタフェースを持ち、それらの間がＵＳＢケーブルを介して接続することができる。無線接続を例にとると、端末アタッチメントが端末ブラケットであると仮設し、端末が該端末アタッチメントに置かれるとき、端末のＮＦＣモジュールは端末アタッチメントのＮＦＣによって配置されたブルートゥース（登録商標）情報を読み取ることができ、それによって端末アタッチメントとの自動的なマッチングを実現する。ただし、該ブルートゥース（登録商標）情報は端末アタッチメントのブルートゥース（登録商標）アカウントを含む。又は、端末が該端末アタッチメントに置かれるとき、端末アタッチメントのＮＦＣモジュールは端末のＮＦＣによって配置されたブルートゥース（登録商標）情報を読み取ることができ、それによって端末アタッチメントとの自動的なマッチングを実現する。ただし、該ブルートゥース（登録商標）情報は端末のブルートゥース（登録商標）アカウントを含む。
【００７５】
場合によっては、端末と端末アタッチメントが接続された後、端末アタッチメントは、無線充電機能、赤外線リモートコントロール機能、ピックアップ機能及び撮影機能等を起動することができる。
【００７６】
端末は、ＷｉＦｉ、２Ｇモバイル通信システム、３Ｇモバイル通信システム又は４Ｇモバイル通信システム等を通じてクラウドサーバと通信を実現することができる。
【００７７】
端末は、そのＡＰＰによってインテリジェントホーム、例えばインテリジェントエアコン、インテリジェント冷蔵庫等を直接コントロールすることができ、また端末アタッチメントによってインテリジェントホームを間接コントロールすることもでき、例えば、端末アタッチメントの赤外線コントロール機能によりインテリジェントホームをコントロールする。
【００７８】
さらに、第２の情報は、前記インテリジェントホームに関する表示すべき情報を生成するために用いられる。場合によっては、第２の情報はユーザーが端末アタッチメントに入力した音声情報及び／又は画像情報であってもよい。該画像情報は端末アタッチメントによって撮影された手振り画像の情報及び／又は顔画像の情報である。相応するように、ステップＳ２０１において、端末アタッチメントが第２の情報を取得することは、具体的には、端末アタッチメントがそのピックアップ機能によって音声情報を取得すること、及び／又は、端末アタッチメントがその撮影機能によって画像情報を取得することを含む。
【００７９】
以下、いくつかの例を通じて上記インテリジェントホームコントロール方法をさらに説明する。
【００８０】
実施可能な形態６：端末アタッチメントは例えば「現在冷蔵庫にどんな食物があるか」という音声情報を取得し、端末アタッチメントは該音声情報を端末に伝送する。端末はＷｉＦｉ又は無線通信ネットワークによって音声情報をクラウドサーバに送信し、それによってクラウドサーバは該音声情報を解析し、コントロールコマンドを生成し、かつ該コントロールコマンドをインテリジェント冷蔵庫に送信し、インテリジェント冷蔵庫は該コントロールコマンドに基づいて冷蔵庫内の食物を撮影し、かつ撮影した画像を端末に送信し、端末はこれらの画像を表示することができる。
【００８１】
以上をまとめると、本発明の実施例は、端末アタッチメントが第２の情報を取得するステップと、端末アタッチメントが第２の情報を前記端末に送信するステップと、端末が第２の情報をクラウドサーバに送信するステップと、クラウドサーバが第２の情報に基づいて前記インテリジェントホームに関する表示すべき情報を生成するステップと、クラウドサーバが端末に前記表示すべき情報を送信するステップと、端末が前記表示すべき情報を表示するステップとを含むインテリジェントホームコントロール方法を提供する。それによって各インテリジェントホームの利用率を向上させる。
【００８２】
図３は、本発明のさらに別の実施例によるインテリジェントホームコントロール方法のインタラクションフローチャートであり、該方法に関する実行本体は、端末、端末アタッチメント及びクラウドサーバであり、該端末は、携帯電話、タブレット等でもよく、該端末アタッチメントは、ピックアップ機能及び撮影機能等を持ち、かつそのピックアップ機能及び撮影機能がいずれも端末のピックアップ機能及び撮影機能よりも優れ、例えば、該端末アタッチメントが遠距離ピックアップ機能を持つが、端末が一般的にやや遠距離の音声インタラクティブに適さない。また、該端末アタッチメントはさらに、赤外線コントロール機能を持つことができ、端末に対する充電等に用いることもできる。該端末アタッチメントは、端末ブラケットのように作ることができ、通常端末を該端末ブラケット上に置くことができ、端末に充電しながら、端末の「耳」及び「目」として端末のピックアップ機能及び撮影機能を拡張することを実現する。ただし、本実施例は図１に対応する実施例及び図２に対応する実施例と別個独立するものであってもよく、組み合わせるものであってもよく、本発明の実施例はそれについて限定しない。図３に示したように、該インテリジェントホームコントロール方法は、ステップＳ３０１〜ステップＳ３０７を含む。
【００８３】
ステップＳ３０１：端末アタッチメントが第３の情報を取得する。
【００８４】
ステップＳ３０２：端末アタッチメントが第３の情報を前記端末に送信する。
【００８５】
ステップＳ３０３：端末が第３の情報をクラウドサーバに送信する。
【００８６】
ステップＳ３０４：クラウドサーバが第３の情報に基づいて前記インテリジェントホームに関する放送すべき情報を生成する。
【００８７】
ステップＳ３０５：クラウドサーバが端末に前記放送すべき情報を送信する。
【００８８】
ステップＳ３０６：端末が前記放送すべき情報を端末アタッチメントに送信する。
【００８９】
ステップＳ３０７：端末アタッチメントが前記放送すべき情報を放送する。
【００９０】
具体的には、端末アタッチメントと端末との間は有線で接続されるか、又は無線で接続されることが可能である。有線接続を例にとると、端末アタッチメント及び端末はいずれもＵＳＢインタフェースを持ち、それらの間がＵＳＢケーブルを介して接続することができる。無線接続を例にとると、端末アタッチメントが端末ブラケットであると仮設し、端末が該端末アタッチメントに置かれるとき、端末のＮＦＣモジュールは端末アタッチメントのＮＦＣによって配置されたブルートゥース（登録商標）情報を読み取ることができ、それによって端末アタッチメントとの自動的なマッチングを実現する。ただし、該ブルートゥース（登録商標）情報は端末アタッチメントのブルートゥース（登録商標）アカウントを含む。又は、端末が該端末アタッチメントに置かれるとき、端末アタッチメントのＮＦＣモジュールは端末のＮＦＣによって配置されたブルートゥース（登録商標）情報を読み取ることができ、それによって端末アタッチメントとの自動的なマッチングを実現する。ただし、該ブルートゥース（登録商標）情報は端末のブルートゥース（登録商標）アカウントを含む。
【００９１】
場合によっては、端末と端末アタッチメントが接続された後、端末アタッチメントは、無線充電機能、赤外線リモートコントロール機能、ピックアップ機能及び撮影機能等を起動することができる。
【００９２】
端末は、ＷｉＦｉ、２Ｇモバイル通信システム、３Ｇモバイル通信システム又は４Ｇモバイル通信システム等を通じてクラウドサーバと通信を実現することができる。
【００９３】
端末は、そのＡＰＰによってインテリジェントホーム、例えばインテリジェントエアコン、インテリジェント冷蔵庫等を直接コントロールすることができ、また端末アタッチメントによってインテリジェントホームを間接コントロールすることもでき、例えば、端末アタッチメントの赤外線コントロール機能によりインテリジェントホームをコントロールする。
【００９４】
さらに、第３の情報は、前記インテリジェントホームに関する放送すべき情報を生成するために用いられる。場合によっては、第３の情報はユーザーが端末アタッチメントに入力した音声情報及び／又は画像情報であってもよい。該画像情報は端末アタッチメントによって撮影された手振り画像の情報及び／又は顔画像の情報である。相応するように、ステップＳ３０１において、端末アタッチメントが第３の情報を取得することは、具体的には、端末アタッチメントがそのピックアップ機能によって音声情報を取得すること、及び／又は、端末アタッチメントがその撮影機能によって画像情報を取得することを含む。
【００９５】
以下、いくつかの例を通じて前記インテリジェントホームコントロール方法をさらに説明する。
【００９６】
実施可能な形態７：端末アタッチメントは例えば「現在冷蔵庫にどんな食物があるか」という音声情報を取得し、端末アタッチメントは該音声情報を端末に伝送する。端末はＷｉＦｉ又は無線通信ネットワークによって音声情報をクラウドサーバに送信し、それによってクラウドサーバは該音声情報を解析し、コントロールコマンドを生成し、かつ該コントロールコマンドをインテリジェント冷蔵庫に送信し、インテリジェント冷蔵庫は該コントロールコマンドに基づいて冷蔵庫内の食物を撮影し、画像を生成し、かつ該画像をクラウドサーバに送信し、クラウドサーバはそれを音声情報に解析し、さらに携帯電話によって該音声情報を携帯電話アタッチメントにフィードバックし、携帯電話アタッチメントは該音声情報を放送することができる。
【００９７】
以上をまとめると、本発明の実施例は、端末アタッチメントが第３の情報を取得するステップと、端末アタッチメントが第３の情報を前記端末に送信するステップと、端末が第３の情報をクラウドサーバに送信するステップと、クラウドサーバが第３の情報に基づいて前記インテリジェントホームに関する放送すべき情報を生成するステップと、クラウドサーバが端末に前記放送すべき情報を送信するステップと、端末が前記放送すべき情報を端末アタッチメントに送信するステップと、端末アタッチメントが前記放送すべき情報を放送するステップとを含むインテリジェントホームコントロール方法を提供する。それによって各インテリジェントホームの利用率を向上させる。
【００９８】
図４は、本発明の実施例によるインテリジェントホームコントロール装置４０の説明図であり、該インテリジェントホームコントロール装置は、端末の一部又は全部であってもよい。図４に示したように、該インテリジェントホームコントロール装置４０は、受信モジュール４１と、送信モジュール４２と、コントロールモジュール４３とを含む。
【００９９】
具体的には、受信モジュール４１は、端末アタッチメントから送信された第１の情報を受信し、送信モジュール４２は、クラウドサーバが第１の情報に基づいてコントロールコマンドを生成するように、第１の情報をクラウドサーバに送信し、受信モジュール４１はさらに、クラウドサーバから送信されたコントロールコマンドを受信し、コントロールモジュール４３は、コントロールコマンドに基づいてインテリジェントホームをコントロールする。
【０１００】
場合によっては、第１の情報は音声情報及び／又は画像情報であり、画像情報は端末アタッチメントによって撮影された手振り画像の情報及び／又は顔画像の情報である。
【０１０１】
場合によっては、コントロールモジュール４３は、具体的には、端末アタッチメントがコントロールコマンドに基づいてインテリジェントホームをコントロールするように、コントロールコマンドを端末アタッチメントに送信する。
【０１０２】
場合によっては、コントロールモジュール４３は、具体的には、コントロールコマンドに基づいてインテリジェントホームをオン・オフにする。
【０１０３】
場合によっては、端末アタッチメントは装置に有線で接続されるか、又は無線で接続される。
【０１０４】
場合によっては、無線接続はブルートゥース（登録商標）接続である。
【０１０５】
場合によっては、インテリジェントホームコントロール装置は、端末アタッチメントのブルートゥース（登録商標）情報を読み取るための読み取りモジュール４４と、端末アタッチメントのブルートゥース（登録商標）情報に基づいて端末アタッチメントと接続するための接続モジュール４５とをさらに含む。
【０１０６】
場合によっては、インテリジェントホームコントロール装置は、表示モジュール４６をさらに含み、受信モジュール４１はさらに、端末アタッチメントから送信された第２の情報を受信し、送信モジュール４２はさらに、クラウドサーバが第２の情報に基づいてインテリジェントホームに関する表示すべき情報を生成するように、第２の情報をクラウドサーバに送信し、受信モジュール４１はさらに、表示すべき情報を受信し、表示モジュール４６は、表示すべき情報を表示する。
【０１０７】
場合によっては、受信モジュール４１はさらに、端末アタッチメントから送信された第３の情報を受信し、送信モジュール４２はさらに、クラウドサーバが第３の情報に基づいてインテリジェントホームに関する放送すべき情報を生成するように、第３の情報をクラウドサーバに送信し、受信モジュール４１はさらに、放送すべき情報を受信し、送信モジュール４２はさらに、端末アタッチメントが放送すべき情報を放送するように、放送すべき情報を端末アタッチメントに送信する。
【０１０８】
本発明の実施例は、インテリジェントホームコントロール装置を提供し、該装置は、上記いずれかの方法例において端末側で実行されるインテリジェントホームコントロール方法を実行するために用いることができ、その内容及び効果について、ここで重複説明を省略する。
【０１０９】
図５は、本発明の実施例によるインテリジェントホームコントロール装置５０の説明図であり、該インテリジェントホームコントロール装置は、端末アタッチメントの一部又は全部であってもよい。図５に示したように、該インテリジェントホームコントロール装置５０は、第１の情報を取得するための取得モジュール５１と、インテリジェントホームをコントロールするためのコントロールコマンドを生成するための第１の情報を端末に送信するための送信モジュール５２とを含む。
【０１１０】
場合によっては、第１の情報は音声情報及び／又は画像情報であり、画像情報は端末アタッチメントによって撮影された手振り画像の情報及び／又は顔画像の情報である。
【０１１１】
場合によっては、インテリジェントホームコントロール装置は、端末から送信されたコントロールコマンドを受信するための第１の受信モジュール５３と、コントロールコマンドに基づいてインテリジェントホームをコントロールするためのコントロールモジュール５４とをさらに含む。
【０１１２】
場合によっては、コントロールモジュール５４は、具体的には、インテリジェントホームが赤外線によってリモートコントロール可能なインテリジェントホームであれば、コントロールコマンドに基づいて端末アタッチメントの赤外線機能によりインテリジェントホームをコントロールする。
【０１１３】
場合によっては、装置は端末に有線で接続されるか、又は無線で接続される。
【０１１４】
場合によっては、無線接続はブルートゥース（登録商標）接続である。
【０１１５】
場合によっては、インテリジェントホームコントロール装置は、端末のブルートゥース（登録商標）情報を読み取るための読み取りモジュール５５と、端末のブルートゥース（登録商標）情報に基づいて端末と接続するための接続モジュール５６とをさらに含む。
【０１１６】
場合によっては、取得モジュール５１はさらに、第２の情報を取得し、送信モジュール５２はさらに、インテリジェントホームに関する表示すべき情報を生成するための第２の情報を端末に送信する。
【０１１７】
場合によっては、インテリジェントホームコントロール装置は、第２の受信モジュール５７をさらに含み、取得モジュール５１はさらに、第３の情報を取得し、送信モジュール５２はさらに、インテリジェントホームに関する放送すべき情報を生成するための第３の情報を端末に送信し、第２の受信モジュール５７は、端末から送信された放送すべき情報を受信し、かつ放送すべき情報を放送する。
【０１１８】
本発明の実施例は、インテリジェントホームコントロール装置を提供し、該装置は、上記いずれかの方法例において端末アタッチメント側で実行されるインテリジェントホームコントロール方法を実行するために用いることができ、その内容及び効果について、ここで重複説明を省略する。
【０１１９】
図６は、本発明の実施例によるインテリジェントホームコントロール機器６０の説明図であり、該インテリジェントホームコントロール機器は、端末であってもよい。図６に示したように、該インテリジェントホームコントロール機器６０は、メモリ６１と、プロセッサ６２とを含む。
【０１２０】
メモリ６１は、コンピュータコマンドを記憶する。
【０１２１】
プロセッサ６２は、メモリ６１に記憶された前記コンピュータコマンドを実行して端末側で実行されるインテリジェントホームコントロール方法を実現する。
【０１２２】
本発明の実施例は、インテリジェントホームコントロール機器を提供し、該機器は、上記いずれかの方法例において端末側で実行されるインテリジェントホームコントロール方法を実行するために用いることができ、その内容及び効果について、ここで重複説明を省略する。
【０１２３】
図７は、本発明の実施例によるインテリジェントホームコントロール機器７０の説明図であり、該インテリジェントホームコントロール機器は、端末であってもよい。図７に示したように、該インテリジェントホームコントロール機器７０は、メモリ７１と、プロセッサ７２とを含む。
【０１２４】
メモリ７１は、コンピュータコマンドを記憶する。
【０１２５】
プロセッサ７２は、メモリ７１に記憶された前記コンピュータコマンドを実行して端末アタッチメント側で実行されるインテリジェントホームコントロール方法を実現する。
【０１２６】
本発明の実施例は、インテリジェントホームコントロール機器を提供し、該機器は、上記いずれかの方法例において端末アタッチメント側で実行されるインテリジェントホームコントロール方法を実行するために用いることができ、その内容及び効果について、ここで重複説明を省略する。
【０１２７】
図８は、本発明の実施例によるインテリジェントホームコントロールシステム８０の説明図であり、該インテリジェントホームコントロールシステムは、端末アタッチメント８１と、端末８２とを含む。場合によっては、該システム８０は、クラウドサーバ８３と、インテリジェントホーム８４とをさらに含むことができる。
【０１２８】
そのうち、端末アタッチメント８１は、マイク（Ｍｉｃｒｏｐｈｏｎｅ、ＭＩＣ）アレイアルゴリズムモジュール８１１、撮影モジュール８１２、プロセッサ８１３、アンプ（ＰＡ）８１４、集積電力駆動回路（ＩＲ）モジュール８１５及びスピーカー８１６を含むことができ、そのうちプロセッサ８１３は、ブルートゥース（登録商標、ＢＴ）又はＷｉＦｉモジュール８１３１、コーディングモジュール（ＣＯＤＥ  Ｃ）８１３２及び画像識別モジュール８１３３を含み、各モジュールの間の接続関係は図８に示される。
【０１２９】
以下、図８に示したインテリジェントホームコントロールシステムと結び付け、各モジュールの機能、及びモジュールの間のデータ伝送について説明する。
【０１３０】
図９は、本発明の実施例によるインテリジェントホームコントロールシステムに基づいたデータ伝送の説明図であり、図９に示したように、ＭＩＣアレイアルゴリズムモジュール８１１は例えば「インテリジェントホームをオンにする」という音声情報を取得し、該音声情報をＢＴ／ＷｉＦｉモジュール８１３１に伝送し、ＢＴ／ＷｉＦｉモジュール８１３１はさらに該音声情報を端末８２に伝送し、端末８２はＷｉＦｉ又は無線通信ネットワークを通じて音声情報をクラウドサーバ８３に送信し、それによってクラウドサーバ８３は該音声情報を解析し、コントロールコマンドを生成し、かつ該コントロールコマンドを端末８２に送信し、端末８２はコントロールコマンドをＢＴ／ＷｉＦｉモジュール８１３１に送信し、ＢＴ／ＷｉＦｉモジュール８１３１は該コントロールコマンドをコーディングモジュール８１３２に送信し、コーディングモジュール８１３２はコントロールコマンドに基づいてコーディングを行い、かつコーディング結果をＩＲモジュール８１５に送信し、ＩＲモジュール８１５はその赤外線機能によりインテリジェントホーム８４をオンにする。ただし、図９において点線１はＭＩＣアレイアルゴリズムモジュール８１１からクラウドサーバ８３へのデータ伝送を表し、実線２はクラウドサーバ８３からＭＩＣアレイアルゴリズムモジュール８１１へのデータ伝送を表す。
【０１３１】
図１０は、本発明の別の実施例によるインテリジェントホームコントロールシステムに基づいたデータ伝送の説明図であり、図１０に示したように、撮影モジュール８１２はユーザーの手振りを撮影し、ユーザーの手振りに関する画像を生成し、かつ該画像をＢＴ／ＷｉＦｉモジュール８１３１に伝送し、ＢＴ／ＷｉＦｉモジュール８１３１はさらに該画像情報を端末８２に伝送し、端末８２はＷｉＦｉ又は無線通信ネットワークを通じて画像をクラウドサーバ８３に送信し、それによってクラウドサーバ８３は該画像情報を解析し、コントロールコマンドを生成し、かつ該コントロールコマンドを端末８２に送信し、端末８２はコントロールコマンドをＢＴ／ＷｉＦｉモジュール８１３１に送信し、ＢＴ／ＷｉＦｉモジュール８１３１は該コントロールコマンドを画像識別モジュール８１３３に送信し、画像識別モジュール８１３３はコントロールコマンドに基づいて画像識別を行い、かつ画像識別結果をＩＲモジュール８１５に送信し、ＩＲモジュール８１５はその赤外線機能によりインテリジェントホーム８４をオンにする。ただし、図１０において点線３は撮影モジュール８１２からクラウドサーバ８３へのデータ伝送を表し、実線４はクラウドサーバ８３から撮影モジュール８１２へのデータ伝送を表す。
【０１３２】
本発明の別の実施例によるインテリジェントホームコントロールシステムに基づいたデータ伝送プロセスは図９及び図１０を参考にすることができ、ＭＩＣアレイアルゴリズムモジュール８１１は例えば「インテリジェントホームをオンにする」という音声情報を取得し、該音声情報をＢＴ／ＷｉＦｉモジュール８１３１に伝送し、ＢＴ／ＷｉＦｉモジュール８１３１はさらに該音声情報を端末８２に伝送し、端末８２はＷｉＦｉ又は無線通信ネットワークを通じて音声情報をクラウドサーバ８３に送信し、撮影モジュール８１２はユーザーの手振りを撮影し、ユーザーの手振りに関する画像を生成し、かつ該画像をＢＴ／ＷｉＦｉモジュール８１３１に伝送し、ＢＴ／ＷｉＦｉモジュール８１３１はさらに該画像を端末８２に伝送し、端末８２はＷｉＦｉ又は無線通信ネットワークを通じて画像をクラウドサーバ８３に伝送し、それによってクラウドサーバ８３は該画像及び音声情報を解析し、かつコントロールコマンドを生成し、該コントロールコマンドを端末８２に送信し、端末８２はコントロールコマンドをＢＴ／ＷｉＦｉモジュール８１３１に送信し、ＢＴ／ＷｉＦｉモジュール８１３１は該コントロールコマンドをコーディングモジュール８１３２に送信し、コーディングモジュール８１３２はコントロールコマンドに基づいてコーディングを行い、かつコーディング結果をＩＲモジュール８１５に送信し、ＢＴ／ＷｉＦｉモジュール８１３１はさらに該コントロールコマンドを画像識別モジュール８１３３に送信し、画像識別モジュール８１３３はコントロールコマンドに基づいて画像識別を行い、かつ画像識別結果をＩＲモジュール８１５に送信し、ＩＲモジュール８１５はその赤外線機能によりインテリジェントホーム８４をオンにする。
【０１３３】
本発明の実施例は、インテリジェントホームコントロールシステムを提供し、該システムは、端末と、端末アタッチメントとを含み、その端末及び端末アタッチメントの内容及び効果は、方法例を参考にすることができ、本発明の実施例では重複説明を省略する。
【０１３４】
本発明の実施例はさらに、読み取り可能記憶媒体と、前記読み取り可能記憶媒体に記憶され、端末側で実行されるインテリジェントホームコントロール方法を実現するためのコンピュータコマンドとを含む記憶媒体を提供し、その内容及び効果について、ここで重複説明を省略する。
【０１３５】
本発明の実施例はさらに、読み取り可能記憶媒体と、前記読み取り可能記憶媒体に記憶され、端末アタッチメント側で実行されるインテリジェントホームコントロール方法を実現するためのコンピュータコマンドとを含む記憶媒体を提供し、その内容及び効果について、ここで重複説明を省略する。
【０１３６】
なお、本発明の実施例におけるプロセッサは、中央処理装置（英語：Ｃｅｎｔｒａｌ  Ｐｒｏｃｅｓｓｉｎｇ  Ｕｎｉｔ、略称：ＣＰＵ）であってもよく、他の汎用プロセッサ、デジタル信号プロセッサ（英語：Ｄｉｇｉｔａｌ  Ｓｉｇｎａｌ  Ｐｒｏｃｅｓｓｏｒ、略称：ＤＳＰ）、専用集積回路（英語：Ａｐｐｌｉｃａｔｉｏｎ  Ｓｐｅｃｉｆｉｃ  Ｉｎｔｅｇｒａｔｅｄ  Ｃｉｒｃｕｉｔ、略称：ＡＳＩＣ）等であってもよい。汎用プロセッサはマイクロプロセッサであってもよく、又は該プロセッサはいずれかの通常のプロセッサ等であってもよい。本発明の実施例で開示された方法と結び付けるステップは、ハードウェアプロセッサによって実行されるか、又はプロセッサにおけるハードウェア及びソフトウェアモジュールの組み合わせによって実行される。
【０１３７】
当業者であれば理解できるように、上記各方法例の全部又は一部のステップは、プログラム命令に関連するハードウェアによって達成することができる。前記プログラムは、コンピュータ読み取り可能記憶媒体に記憶されてもよい。該プログラムを実行するとき、上記各方法例を含むステップを実行する。前記記憶媒体は、読み出し専用メモリ（英語：ｒｅａｄ−ｏｎｌｙ  ｍｅｍｏｒｙ、略称：ＲＯＭ）、ＲＡＭ、フラッシュメモリ、ハードディスク、ソリッドステートドライブ、磁気テープ（英語：ｍａｇｎｅｔｉｃ  ｔａｐｅ）、フロッピーディスク（英語：ｆｌｏｐｐｙ  ｄｉｓｋ）、光ディスク（英語：ｏｐｔｉｃａｌ  ｄｉｓｃ）及びその任意な組み合わせを含む。
【０１３８】
最後に説明すべきは、以上の各実施例が、本発明の技術的解決手段を説明することにのみ用いられ、これらに限定されるものではないことである。前述各実施例を参照して本発明について詳細に説明したが、当業者であれば理解すべきように、それは、依然として前述各実施例に記載された技術的解決手段を修正し、又はそのうちの一部又は全部の技術的特徴に対して同等の置換を行うことが可能である。これらの修正又は置換は、対応する技術的解決手段の本質を本発明の各実施例の技術的解決手段の範囲から逸脱させるものではない。
【図１Ａ】
2019193253.tif 000003
【図１Ｂ】
2019193253.tif 000004
【図２】
2019193253.tif 000005
【図３】
2019193253.tif 000006
【図４】
2019193253.tif 000007
【図５】
2019193253.tif 000008
【図６】
2019193253.tif 000009
【図７】
2019193253.tif 000010
【図８】
2019193253.tif 000011
【図９】
2019193253.tif 000012
【図１０】
2019193253.tif 000013